(57)【要約】  【課題】  不慣れな使用者であっても、選択操作の頻度を低減させながらも態様の設定が適切に行なえる画像形成装置を提供する  【解決手段】  原稿または原稿に対する複写物の態様を設定するための操作手順をガイド表示するガイド表示手段１０と、設定された態様で原稿を読み取る画像読取手段２と、設定された態様で記録媒体に複写画像を形成して出力する画像形成手段５を備えて構成される画像形成装置であって、第一スタートキーが操作され、原稿が前記画像読取手段２により読み取られた後に、当該原稿の属性に基づいて設定可能な複写物の態様を設定するための操作手順をガイド表示する複写物態様ガイド表示手段１５を設ける構成とする。【選択図】  図２
2006154467.tif 000002
【特許請求の範囲】
【請求項１】
原稿または原稿に対する複写物の態様を設定するための操作手順をガイド表示するガイド表示手段と、設定された態様で原稿を読み取る画像読取手段と、設定された態様で記録媒体に複写画像を形成して出力する画像形成手段を備えて構成される画像形成装置であって、
第一スタートキーが操作され、原稿が前記画像読取手段により読み取られた後に、当該原稿の属性に基づいて設定可能な複写物の態様を設定するための操作手順をガイド表示する複写物態様ガイド表示手段を設けてある画像形成装置。
【請求項２】
前記ガイド表示手段に、前記原稿に対する態様を設定するための操作手順をガイド表示する原稿態様ガイド表示手段を備え、前記原稿態様が設定された後に前記第一スタートキーの操作が許容される請求項１記載の画像形成装置。
【請求項３】
前記複写物態様ガイド表示手段によるガイド表示に従って複写物態様が設定された後に前記画像形成手段を作動させる第二スタートキーの操作が許容される請求項１または２記載の画像形成装置。
【請求項４】
前記複写物態様ガイド表示手段は、各態様の設定頻度をカウントする設定頻度計測手段による計測結果に基づいて設定頻度の高い態様を優先的にガイド表示する請求項１から３の何れかに記載の画像形成装置。
【請求項５】
前記原稿態様ガイド表示手段は、少なくとも原稿が両面、片面の何れであるかを設定するためのガイド表示を行なう請求項２から４の何れかに記載の画像形成装置。
【請求項６】
前記ガイド表示手段の作動、非作動を切り替えるモード選択手段を備え、前記ガイド表示手段の作動が選択されているときに第一スタートキーが操作されると前記画像読取手段のみ作動し、前記ガイド表示手段の非作動が選択されているときに第一スタートキーが操作されると前記画像読取手段及び前記画像形成手段が作動する請求項１から５の何れかに記載の画像形成装置。
【発明の詳細な説明】
【技術分野】
【０００１】
本発明は、複写機、デジタル複写機、ファクシミリ、複合機等の画像形成装置に関し、詳しくは、原稿または原稿に対する複写物の態様を設定するための操作手順をガイド表示するガイド表示手段と、設定された態様で原稿を読み取る画像読取手段と、設定された態様で記録媒体に複写画像を形成して出力する画像形成手段を備えて構成される画像形成装置に関する。
【背景技術】
【０００２】
近年の画像形成装置には、両面原稿機能、両面複写機能、倍率設定機能、画像濃度設定機能、画像反転機能、それらの組合せによる機能等、新しい機能仕様が次々と搭載されており、これに伴って操作部が複雑、高機能化しているために、使用者が設定しなければならない操作も複雑化している。そこで従来は、表示部に操作手順を順次表示し、この操作案内に従って操作することにより不慣れな使用者でも容易に操作できるガイド表示手段を設けたものが提案されている。
【０００３】
しかし、不慣れな使用者はその画像形成装置がどのような機能を有しているかを把握していないために、ガイド表示手段を設けても却って操作に手間取る場合があるという問題があった。
【０００４】
そこで、両面複写や複写サイズ等の画像形成態様を表現する複数の選択枝を表示する選択枝表示手段と、これらの選択枝の中から特定の選択枝を選択し入力するための選択枝入力手段と、入力された選択枝に対応する画像形成機能を判別してこの画像形成機能による画像形成動作を装置本体に実行させる画像形成制御手段とを備える画像形成装置が提案されている。
【特許文献１】特開平７−１２１０６０号公報
【発明の開示】
【発明が解決しようとする課題】
【０００５】
しかし、上述の選択枝表示手段を備えた画像形成装置であっても、原稿の態様から複写物の態様まで細かく表示されると選択操作自体が煩雑となり、使い辛さという点で更なる改良の余地があった。
【０００６】
本発明は、上述の問題点に鑑み、不慣れな使用者であっても、選択操作の頻度を低減させながらも態様の設定が適切に行なえる画像形成装置を提供する点にある。
【課題を解決するための手段】
【０００７】
上述の目的を達成するため、本発明による画像形成装置の第一の特徴構成は、特許請求の範囲の書類の請求項１に記載した通り、原稿または原稿に対する複写物の態様を設定するための操作手順をガイド表示するガイド表示手段と、設定された態様で原稿を読み取る画像読取手段と、設定された態様で記録媒体に複写画像を形成して出力する画像形成手段を備えて構成される画像形成装置であって、第一スタートキーが操作され、原稿が前記画像読取手段により読み取られた後に、当該原稿の属性に基づいて設定可能な複写物の態様を設定するための操作手順をガイド表示する複写物態様ガイド表示手段を設けてある点にある。
【０００８】
上述の構成とすることにより、読み取られた原稿の画像情報から原稿の設定情報、つまり、原稿の枚数情報、原稿サイズ情報、原稿に使用されているカラー情報（白黒／カラー）、原稿の解像度情報（写真／文字）等を得ることができるため、当該原稿画像を用いて設定可能な態様を主とした操作手順をガイド表示し、選択操作の頻度を低減することが可能となるのである。
【０００９】
同第二の特徴構成は、同請求項２に記載した通り、上述の第一特徴構成に加えて、前記ガイド表示手段に、前記原稿に対する態様を設定するための操作手順をガイド表示する原稿態様ガイド表示手段を備え、前記原稿態様が設定された後に前記第一スタートキーの操作が許容される点にある。
【００１０】
上述の構成とすることにより、前記画像読取手段では取得することの困難な、或いは取得に時間がかかる原稿設定情報を容易に入力することが可能となり、前述した前記画像読取手段によって取得した原稿設定情報とともに、入力した原稿設定情報を用いることにより、更に簡便な操作手順をガイド表示し、選択操作の頻度を低減することが可能となるのである。
【００１１】
同第三の特徴構成は、同請求項３に記載した通り、上述の第一または第二特徴構成に加えて、前記複写物態様ガイド表示手段によるガイド表示に従って複写物態様が設定された後に前記画像形成手段を作動させる第二スタートキーの操作が許容される点にある。
【００１２】
上述の構成とすることにより、設定した複写物態様を確認した後に画像形成手段を作動させるため、確実に目的の複写物態様として出力することが可能となるのである。
【００１３】
同第四の特徴構成は、同請求項４に記載した通り、上述の第一から第三の何れかの特徴構成に加えて、前記複写物態様ガイド表示手段は、各態様の設定頻度をカウントする設定頻度計測手段による計測結果に基づいて設定頻度の高い態様を優先的にガイド表示する点にある。
【００１４】
上述の構成とすることにより、設定頻度の低い複写物態様の選択操作を省くことができ、選択操作の頻度を低減することが可能となるのである。
【００１５】
同第五の特徴構成は、同請求項５に記載した通り、上述の第一から第四の何れかの特徴構成に加えて、前記原稿態様ガイド表示手段は、少なくとも原稿が両面、片面の何れであるかを設定するためのガイド表示を行なう点にある。
【００１６】
上述の構成とすることにより、片面原稿の場合には、片面原稿であることを指定することのみで、原稿の読み取りを両面読み取りすることなく、片面のみ読み込む構成とすることができ、原稿読み込み時間を低減することが可能となるのである。また、確実に原稿設定情報として、両面原稿であるか片面原稿であるかの情報を入力することが可能となるのである。
【００１７】
同第六の特徴構成は、同請求項６に記載した通り、上述の第一から第五の何れかの特徴構成に加えて、前記ガイド表示手段の作動、非作動を切り替えるモード選択手段を備え、前記ガイド表示手段の作動が選択されているときに第一スタートキーが操作されると前記画像読取手段のみ作動し、前記ガイド表示手段の非作動が選択されているときに第一スタートキーが操作されると前記画像読取手段及び前記画像形成手段が作動する点にある。
【発明の効果】
【００１８】
以上説明した通り、本発明によれば、不慣れな使用者であっても、選択操作の頻度を低減させながらも態様の設定が適切に行なえる画像形成装置を提供することができるようになった。
【発明を実施するための最良の形態】
【００１９】
以下に本発明による画像形成装置の第一の実施形態を説明する。画像形成装置としてのデジタル複写機１は、図１に示すように、ユーザーインターフェースとなる操作表示部７ａと基本機能を選択するハードスイッチパネル７ｂとからなる操作入力部７と、画像情報を読み取る画像読取手段２と、前記画像読取手段２により読み取られた画像情報を格納するストレージデバイス３と、前記ストレージデバイス３から読み出された前記画像情報に基づいて所定の処理を実行し複写画像を形成出力する画像形成手段５と、前記ストレージデバイス３に対する前記画像情報の書込み処理または読出し処理を実行するとともに、前記画像形成手段５による出力の終了後に前記画像情報を削除するファイル管理手段４の各機能ブロックと、各機能ブロックを統括制御するシステム制御手段６を備えて構成されている。ここに、各機能ブロックには、マイクロコンピュータ、ＲＯＭ、ＲＡＭ、出力ドライバ回路、入力バッファ回路などを備えてなる制御ボードが実装され、同じくマイクロコンピュータ、ＲＯＭ、ＲＡＭ等を備えたシステム制御手段６との間で通信可能に接続されている。
【００２０】
前記画像読取手段２は、コンタクトガラス２ａ上に配置された自動原稿搬送装置２ｂと、自動原稿搬送装置２ｂによりコンタクトガラス２ａ上に給送された原稿を読取走査する露光ランプ２ｃ及び原稿からの反射光を反射する第１ミラー２ｄを備えた第１スライダー２Ａと、第１ミラー２ｄによって反射された光を集光レンズ２ｇに導くための第２及び第３ミラー２ｅ、２ｆを備えた第２スライダー２Ｂと、集光レンズ２ｇからの光情報を電気信号に変換する固体撮像素子２ｈと、固体撮像素子２ｈの出力信号を画像情報としてのデジタルデータに変換する量子化処理、ノイズ除去処理、圧縮処理などを行なう入力画像処理部２ｉにより構成されている。
【００２１】
前記画像形成手段５は、画像形成部と記録紙搬送部を備えて構成され、前記画像形成部は、図示しないメイン駆動モータによって矢印の方向に回転駆動される感光体ドラム５ａ周囲に、その回転方向の順に、感光体ドラム５ａの表面の感光層を帯電させる帯電器５ｂ、感光層上に形成された静電潜像をトナー顕像として顕像化する現像装置５ｃ、感光層上に形成されたトナー顕像を記録紙に転写する転写用放電器５ｄ、感光体ドラム５ａから記録紙を分離するための分離用放電器５ｅ、転写後の感光体ドラム５ａ上に残留しているトナーを除去するクリーニング装置５ｆ及び感光体ドラム５ａ表面の電荷を除去する除電器５ｇを配置して構成され、帯電器５ｂにより一様に帯電された感光層に、前記ストレージデバイス３から読み出され伸張処理の後にビットマップメモリ５ｉに展開された画像情報に基づいてレーザユニット５ｈから出力されるレーザ光が照射されて静電潜像が形成され、前記現像装置５ｃによりトナー像が形成される。
【００２２】
前記記録紙搬送部は、給紙カセット５ｎ内の記録紙を給紙する給紙ローラ５ｊと、給紙ローラ５ｊによって送られてきた記録紙を所定のタイミングで感光体ドラム５ａに搬送するためのレジストローラ５ｋ及び感光体ドラム５ａ上に形成されたトナー顕像が転写されかつ感光体ドラム５ａから剥離された記録紙を定着ローラ５ｍまで搬送する搬送ベルト５ｌを備えている。定着ローラ５ｍによって定着処理された記録紙は、図示しない排出機構を介して排出トレイ上に排出される。
【００２３】
前記ファイル管理手段４は、前記ストレージデバイス３へのデータの書込み、読出し、及び削除を管理するもので、前記ストレージデバイス３に格納される画像情報に対するリンク情報を実行フォルダに生成して、当該リンク情報に基づいて前記画像情報の書込み処理または読出し処理を実行し、前記リンク情報を前記実行フォルダから削除フォルダに遷移させて、当該削除フォルダのリンク情報に基づいて前記画像情報の削除処理を実行するように構成されるとともに、前記画像情報の削除処理中に他の画像情報に対する書込み要求または読出し要求があると、当該削除処理に優先して他の書込み処理または読出し処理を実行するように構成されている。
【００２４】
前記システム制御手段６は、上述した各機能ブロックに制御コマンドを発し、各機能ブロックからのレポートを受信して所定の画像形成動作が正常に行なわれるように制御する。前記システム制御手段６は、本体上面に配置された操作表示部７ａから設定入力された記録紙サイズ、倍率、濃度などの動作モードを操作レポートとして取り込み、プリントスイッチの操作信号が操作レポートとして入力されると、前記画像読取手段２に原稿の読取コマンドを発して原稿情報を読み込ませ、前記ストレージデバイス３に書込みコマンドを発して前記画像読取手段２により読み込まれた画像情報を格納させるとともに、前記画像形成手段５にプリントコマンドを発して対応するサイズの記録紙を前記画像形成部に供給させる。さらに前記ストレージデバイス３に読出しコマンドを発して格納されている画像情報を前記レーザユニット５ｈに供給させることにより記録紙に原稿画像を複写させる。記録紙が排出トレイに排出されたことを前記画像形成手段５からの排紙レポートで確認すると、前記ストレージデバイス３に削除コマンドを発して格納されている画像情報を削除させる。
【００２５】
更に前記システム制御手段６は、前記操作表示部７ａに入力操作手順表示の指示や、入力操作キー表示の指示といったガイド表示を指示するガイド表示手段１０と、前記操作表示部７ａから操作入力された設定情報を格納する操作設定記憶手段１１と、予め各種の初期設定を格納している初期設定記憶手段１２と、前記画像読取手段２から読み込まれた画像情報から原稿設定情報を取得する原稿設定取得手段１３と、前記操作表示部７ａから操作設定された機能（態様）毎にその操作設定回数を計測する設定頻度計測手段１４とを備えて構成されている。
【００２６】
前記初期設定記憶手段１２は、出力濃度等の初期値を格納しておくもので、前記ハードスイッチパネル７ｂの選択により、前記操作表示部７ａから操作入力が可能なように構成されている。
【００２７】
前記設定頻度計測手段１４は、後述する各種詳細機能の実行回数（設定回数）を前記詳細機能毎に計測（カウントアップ）し、前記各種詳細機能のカテゴリー内における設定頻度を算出するように構成されている。また、予め設定された各種詳細機能について、前記各種詳細機能のカテゴリー内で他の詳細機能に変更された場合、前記カテゴリー毎に計測（カウントアップ）し、各カテゴリーにおける当該カテゴリーの設定変更頻度についても算出するように構成されている。
【００２８】
前記ガイド表示手段１０は、前記原稿設定取得手段１３により取得された原稿設定情報と前記設定頻度計測手段１４により計測された前記設定頻度と前記設定変更頻度に基づいてガイド表示を指示する複写物態様ガイド表示手段１５と、前記デジタル複写機１で処理される原稿に対する態様を予め設定させるための操作手順についてガイド表示を指示する原稿態様ガイド表示手段１６と、前記原稿設定情報と前記設定頻度と前記設定変更頻度とは無関係にガイド表示を指示する通常ガイド表示手段１８と、前記ハードスイッチパネル７ｂの設定により前記複写物態様ガイド表示手段１５と通常ガイド表示手段１８とのガイド表示指示を切り替えるモード選択手段１７とを備えて構成されている。
【００２９】
以下に前記ガイド表示手段１０の動作について、図３のフローチャートと、図４に示す前記ガイド表示手段１０に基づいた前記操作表示部７ａに表示される表示画面を用いて説明する。このとき前記ハードスイッチ７ｂにおいて、前記モード選択手段１７が前記複写物態様ガイド表示手段１５と原稿態様ガイド表示手段１６の表示指示を選択するよう設定されている。
【００３０】
前記デジタル複写機１が起動されると各種初期設定が行なわれた後、原稿態様ガイド表示手段１６によって、前記操作表示部７ａには前記デジタル複写機１で処理する原稿が片面であるか両面であるかを確認する「両面原稿」選択キーと「片面原稿」選択キーとを表示する原稿確認画面が表示される（Ｓ１、図４（ａ））。例えば、原稿が片面原稿である場合には「片面」選択キーを選択実行する（Ｓ２）。このように、「両面原稿」選択キーか「片面原稿」選択キーの何れかの選択キーを選択実行すると、複写物態様ガイド表示手段１５によって、前記操作表示部７ａには複写枚数を選択する複写枚数確認画面が表示される（Ｓ３、図４（ｂ））。
【００３１】
前記複写枚数確認画面では、表示されている「▲」選択キーと「▼」選択キーで複写枚数を選択する。前記「▲」選択キーは前記複写枚数をカウントアップする選択キーであり、前記「▼」選択キーは前記複写枚数をカウントダウンする選択キーである。これらの操作に基づいて複写枚数確認部５０には、前記複写枚数が表示され前記複写枚数を確認することが可能となっている。また、「リセット」選択キーを用いて複写枚数をリセットすることも可能となっている。
【００３２】
前述した複写枚数を設定し、前記画像入力手段２に原稿をセットし（Ｓ４、Ｓ５）、第一スタートキーとしての「スタート」選択キーを選択実行する（Ｓ６）と、前記画像読取手段２は原稿の読取コマンドを発して画像情報を読み込ませ（Ｓ７）、前記ストレージデバイス３に書込みコマンドを発して前記画像読取手段２により読み込まれた画像情報を格納する（Ｓ８）。
【００３３】
前記原稿設定取得手段１３は、前記ストレージデバイス３に書き込まれた画像情報から原稿設定情報を取得する（Ｓ９）。例えば、前記画像読取手段２が読み取った数（スキャン回数）により取得が可能となる原稿の枚数情報、同じく読み取った画像情報の範囲から取得が可能な原稿サイズ情報、同じく読み取った画像情報から取得が可能な原稿に使用されているカラー情報（白黒／カラー）、同じく読み取った画像情報から取得が可能な画像の解像度情報（写真／文字）等である。
【００３４】
また、前記原稿設定取得手段１３は、片面原稿の読み取りを行なう際、前記原稿確認画面で片面原稿が選択されている場合には、片面側の原稿のみを読み取るよう構成されている。つまり、原稿読み取り時間が最小限になるように、また、前記ストレージデバイス３への書き込み容量が最小限になるように構成されている。
【００３５】
前記複写物態様ガイド表示手段１５は、前記設定変更頻度の多い設定機能から順に並べてガイド指示を行なうとともに、前記取得された原稿設定情報に基づいた詳細機能を設定する詳細機能設定画面を表示指示する（Ｓ１０、図４（ｃ））。
【００３６】
例えば、設定可能機能が以下に示す５つの機能（カテゴリー）を備え、前記設定変更頻度の多い順に、「用紙選択（原稿の拡大縮小）」、「出力面選択」、「画質選択」、「カラー／白黒選択モード」、「仕上げ」であった場合、最も見やすい位置から順に、例えば、左から右へ前記機能を並べて表示する。
【００３７】
また、機能毎に表示される詳細機能においては前記設定頻度の多い順に、最も見やすい位置から順に、例えば上から下へ前記詳細機能を並べて表示する。
【００３８】
前記「用紙選択（原稿の拡大縮小）」は、前記原稿設定情報のうち原稿サイズに基づいて出力用紙サイズの詳細機能が表示される。例えば、前記原稿サイズ情報がＡ４サイズであり、このときに前記設定頻度計測手段１４に格納されている出力サイズの設定頻度が、Ａ４、Ｂ５、Ｂ４、Ａ３、Ｂ５の順である場合には、出力原稿サイズに対応した「Ａ４」選択キー、「Ｂ５」選択キー、「Ｂ４」選択キー、「Ａ３」選択キー、「Ｂ５」選択キーが順に表示される。
【００３９】
前記「出力面選択」は、前記原稿確認画面で設定入力された原稿種別（両面／片面）に基づいて、出力面の詳細機能が表示される。例えば、前記原稿確認画面で片面原稿が選択されている場合には、片面原稿を片面原稿として出力する「片面→片面」選択キーと、片面原稿を両面原稿として出力する「片面→両面」選択キーとが、このときに前記設定頻度計測手段１４に格納されている出力面の設定頻度に応じて順に表示される。つまり、入力原稿が片面であるため、両面原稿を片面原稿として出力する「両面→片面」選択キーや、両面原稿を両面原稿として出力する「両面→両面」選択キー等といった、入力原稿情報からは適応されない選択キーは省かれて表示される。
【００４０】
前記「画質選択」は、前記原稿設定情報のうち画像の解像度情報に基づいて出力画質の詳細機能が表示される。例えば、前記画像の解像度情報が高解像度（写真）である場合、このときに前記設定頻度計測手段１４に格納されている出力画質の設定頻度が、高解像度（写真）、低解像度（文字）の順である場合には、出力画質に対応した「写真」選択キー、「文字」選択キーの順に表示される。
【００４１】
前記「カラー／白黒選択モード」は、前記原稿設定情報のうちカラー情報に基づいて出力色の詳細機能が表示される。例えば、前記カラー情報が白黒である場合、「白黒」選択キーのみが表示される。或いは選択キーの表示が省かれる。つまり、白黒原稿におけるカラー出力は白黒出力と同等になるため、詳細選択においてこれを省くことが可能となるのである。また、前記カラー情報がカラーである場合には、このときに前記設定頻度計測手段１４に格納されている出力カラーの設定頻度が、カラー、白黒（文字）の順である場合には、出力カラーに対応した「カラー」選択キー、「白黒」選択キーの順に表示される。
【００４２】
前記「仕上げ」は、前記原稿設定情報のうちの枚数情報と、前記複写枚数確認画面で設定された複写枚数に基づいて仕上げ（ソート／グルーピング）の詳細機能が表示される。例えば、前記枚数情報が１枚で、複写枚数も１枚であった場合には詳細設定は表示されない。つまり、原稿が１枚の場合には、ソートやグルーピングといった機能に適合しないからである。また、原稿が１枚で複写枚数が複数、或いは、枚数情報が複数で複写枚数が１枚の場合にも同様に詳細設定は表示されない。原稿が複数で複写枚数が複数のときのみ、ソート或いはグルーピングを選択する「ソート」選択キーと「グルーピング」選択キーが、このときの前記設定頻度計測手段１４に格納されている仕上げの設定頻度に応じて順に表示される。
【００４３】
前述した詳細機能は、前記原稿情報と前記複写枚数設定と前記設定頻度に基づいて、予め詳細機能が設定された状態で表示される。例えば、前記複写枚数設定が１０枚、前記原稿確認設定が片面、前記原稿設定情報におけるサイズ情報がＡ４、画質情報が高解像度（写真）、カラー情報がカラー、原稿枚数が６枚であって、前記夫々の機能における設定頻度の高い詳細機能が、用紙選択がＡ４出力、出力面選択が片面原稿を片面原稿に出力、画質選択が高解像度（写真）出力、カラー／白黒選択がカラー出力、仕上げがソートといった場合には、予め夫々の詳細機能が選択された状態で表示される。
【００４４】
また、必要があれば、適宜詳細機能の設定を種々の選択キーを選択することで設定変更することが可能となっている（Ｓ１１）。つまり、必要最小限の詳細機能選択で前記詳細機能の設定が可能なように構成されている。
【００４５】
各詳細機能の設定変更が終了した後、第二スタートキーとしての「確認」選択キーを選択実行する（Ｓ１２）と、前記詳細機能設定画面での設定内容が前記操作設定記憶手段１１に格納される（Ｓ１３）。また、前記複写物態様ガイド表示手段１５は、設定された詳細機能を表示する詳細機能確認画面の表示指示を行なう（Ｓ１４、図４（ｄ））。
【００４６】
前記詳細機能を確認し正しければ「実行」選択キーを選択実行することにより、前記画像形成手段５によって、記録紙への画像出力が行なわれる（Ｓ１５、Ｓ１６、Ｓ１７）。また、「戻る」選択キーの選択実行により、前記詳細機能設定確認画面へ戻る事が可能となっている（Ｓ１５、Ｓ１８）。
【００４７】
前記選択された詳細機能が前述したように実行されと、前記設定頻度計測手段１４によって、前記詳細機能ごとにその使用回数がカウントアップされ、夫々の設定頻度が更新される（Ｓ１９）。また、各機能（カテゴリー）における詳細機能の設定変更があれば、当該機能に対してカウントアップされ設定変更頻度が更新される（Ｓ２０）。
【００４８】
前記ハードスイッチ７ｂにおいて、通常ガイド表示指示手段１８の表示指示が実行されるよう設定された場合には、前記詳細設定画面では、前記原稿情報とは無関係に各種詳細機能の選択キーが配列されたり、機能毎に階層化表示されたり、同類の機能選択キーが同一タブに配置され、そのようなタブが複数設定されるような公知の技術による配列とすることが可能である。
【００４９】
以下に別の実施形態について説明する。上述した第一の実施形態では、前記原稿確認画面で原稿が片面原稿であるか両面原稿であるかの確認を行なったが、前記ガイド表示手段１０に変えて図５に示すようなガイド表示手段６０を用いることにより、前記原稿確認画面を表示しない第二の実施形態について、図６に示すフローチャートに基づいて説明する。
【００５０】
前記ガイド表示手段６０は、前記原稿設定取得手段１３により取得された原稿設定情報と前記設定頻度と前記設定変更頻度とに基づいてガイド表示を指示する複写物態様ガイド表示手段６５と、前記原稿設定情報と前記設定頻度と前記設定変更頻度とは無関係にガイド表示を指示する通常ガイド表示手段６８と、前記ハードスイッチパネル７ｂの設定により前記複写物態様ガイド表示手段６５と通常ガイド表示手段６８とのガイド表示指示を切り替えるモード選択手段６７とを備えて構成されている。
【００５１】
前記デジタル複写機１が起動されると各種初期設定が行なわれた後、複写物態様ガイド表示手段６５は、前記操作表示部７ａに複写枚数を選択する複写枚数確認画面の表示指示を行なう（ＳＳ１）。前記複写枚数確認画面では第一の実施形態と同様に複写枚数を設定し（ＳＳ２）、前記画像入力手段２に原稿をセットし（ＳＳ３）、第一スタートキーとしての「スタート」選択キーを選択実行する（ＳＳ４）。
【００５２】
前記画像読取手段２は原稿の読取コマンドを発して画像情報を読み込ませ（ＳＳ５）、前記ストレージデバイス３に書込みコマンドを発して前記画像読取手段２により読み込まれた画像情報を格納する（ＳＳ６）。このとき、前記画像読取手段２は原稿両面の画像情報を読み込む構成となっている。
【００５３】
前記原稿設定取得手段１３は、前記ストレージデバイス３に書き込まれた画像情報から第一の実施形態と同様に原稿設定情報を取得するのであるが（ＳＳ７）、画像情報が原稿の両面画像について取得しているため、前記原稿が片面原稿であるか両面原稿であるかの原稿情報をも取得可能である。
【００５４】
以下第一の実施形態と同様にして、複写物態様ガイド表示手段６５は、前記複写枚数設定と設定頻度と設定変更頻度とに基づいて、詳細機能が選択された詳細機能設定画面を表示指示し（ＳＳ８）、必要であれば設定変更され、詳細機能について確認表示する（ＳＳ９、ＳＳ１０、ＳＳ１１、ＳＳ１２）。また、実効選択されることにより画像出力、設定頻度、設定変更頻度の更新が行なわれる（ＳＳ１３、ＳＳ１４、ＳＳ１５、ＳＳ１７、ＳＳ１８）。
【００５５】
上述した実施形態では、前記詳細確認画面において各種機能を一覧表示した場合について説明したが、前記各種機能別に詳細画面を表示する構成としてもよい。つまり、図７に示すように、各種機能の設定変更頻度の順に従って、機能毎に詳細機能を表示し確認を行なっていく構成としてもよい。例えば「用紙選択」（図７（ａ））、「出力面選択」（図７（ｂ））、「画質選択」（図７（ｃ））、「カラー／白黒選択」（図７（ｄ））、「仕上げ」（図７（ｅ））の順に詳細機能を表示し確認を行なうのである。
【００５６】
上述した実施形態での各種選択キーの配列、名称、形状等は一例に過ぎず、これに限定されるものではなく、適宜変更が可能なものである。また、詳細機能においても適宜他の詳細機能の追加、或いは削除を行なうことも可能である。
【００５７】
上述した実施形態では、画像処理装置として複写機を例に説明したが、画像処理装置としてはこれに限定されるものではなく、スキャナ装置を備えたファクシミリ装置、プリンタやファクシミリ機能が搭載された複合機などにも適用可能であることはいうまでもない。
【図面の簡単な説明】
【００５８】
【図１】画像形成装置の説明図
【図２】画像処理装置の機能ブロック構成図
【図３】ガイド表示手段の動作におけるフローチャート
【図４】表示操作部における表示状態の説明図
【図５】第二の実施形態における画像処理装置の機能ブロック構成図
【図６】第二の実施形態におけるガイド表示手段の動作におけるフローチャート
【図７】操作表示部における表示状態の説明図
【符号の説明】
【００５９】
１：デジタル複写機
２：画像読取手段
３：ストレージデバイス（ハードディスク）
４：ファイル管理手段
５：画像形成手段
６：システム制御手段
７ａ：操作表示部
７ｂ：ハードスイッチパネル
１０：ガイド表示手段
１１：操作設定記憶手段
１２：初期設定記憶手段
１３：原稿設定取得手段
１４：設定頻度計測手段
１５：複写物態様ガイド表示手段
１６：原稿態様ガイド表示手段
１７：モード選択手段
【図１】
2006154467.tif 000003
【図２】
2006154467.tif 000004
【図３】
2006154467.tif 000005
【図５】
2006154467.tif 000006
【図６】
2006154467.tif 000007
【図４】
2006154467.tif 000008
【図７】
2006154467.tif 000009